(57)【要約】【課題】本発明は、既存建物の既存鉄筋に定着板を容易に取り付けることを可能とする接合構造及び接合方法を提供する。【解決手段】本発明の接合構造は、既存建物Ｓ１を構成する大梁２と、大梁２よりも下方に位置する大梁３と、を接合させる接合構造１である。大梁２と大梁３との間には空間Ｋ１が形成されている。接合構造１は、予め既存建物Ｓ１に埋設されており大梁２から空間Ｋ１に伸びる鉄筋４Ａと、予め既存建物Ｓ１に埋設されており大梁３から空間Ｋ１に伸びる鉄筋４Ｃと、鉄筋４Ａが挿入される挿入穴を有する定着板２１と、鉄筋４Ｃが挿入される挿入穴を有する定着板２２と、鉄筋４Ａ、及び鉄筋４Ａに固定された定着板２１を埋設する基礎部５と、鉄筋４Ｃ、及び鉄筋４Ｃに固定された定着板２２を埋設する基礎部６と、を備えている。【選択図】図１
2016000942.tif 000002
【特許請求の範囲】
【請求項１】
既存建物を構成する上部構造物と、前記上部構造物よりも下方に位置する下部構造物と、を接合させる接合構造において、
前記上部構造物と前記下部構造物との間には空間が形成されており、
予め前記既存建物に埋設されており、前記上部構造物及び前記下部構造物の少なくともいずれかから前記空間に伸びる既存鉄筋と、
前記既存鉄筋が挿入される挿入穴を有する定着板と、
前記既存鉄筋、及び前記既存鉄筋に固定された前記定着板を埋設する基礎部と、
を備えたことを特徴とする接合構造。
【請求項２】
前記挿入穴は、前記定着板の厚さ方向に貫通しており、
前記厚さ方向に平行な平面で前記定着板を切断した場合における前記挿入穴の断面は、前記厚さ方向における一方側から他方側に向かうに従って広がる形状となっていることを特徴とする請求項１に記載の接合構造。
【請求項３】
前記挿入穴は、前記定着板の厚さ方向に貫通しており、
前記厚さ方向に平行な平面で前記定着板を切断した場合における前記挿入穴の断面は、台形状となっていることを特徴とする請求項１又は２に記載の接合構造。
【請求項４】
前記基礎部に固定される免震装置を備えたことを特徴とする請求項１〜３のいずれか一項に記載の接合構造。
【請求項５】
前記免震装置を前記基礎部に固定させるアンカーを備え、
前記アンカーは、前記基礎部内における前記アンカーのコーン破壊面が前記既存鉄筋に固定された前記定着板のコーン破壊面と交差する位置に設けられる、
請求項４に記載の接合構造。
【請求項６】
既存建物を構成する上部構造物と、前記上部構造物よりも下方に位置する下部構造物と、を接合させる接合方法において、
前記上部構造物と前記下部構造物との間に空間を形成し、前記上部構造物及び前記下部構造物の少なくともいずれかから、予め前記既存建物に埋設されている既存鉄筋を前記空間に露出させる工程と、
前記既存鉄筋を定着板の挿入穴に挿入させた状態で前記定着板を前記既存鉄筋に固定させる工程と、
前記既存鉄筋、及び前記既存鉄筋に固定された前記定着板を埋設する基礎部を形成する工程と、
を備えたことを特徴とする接合方法。
【発明の詳細な説明】
【技術分野】
【０００１】
本発明は、既存建物の改良時に構築される接合構造及び接合方法に関する。
【背景技術】
【０００２】
免震レトロフィットと称される既存建物の免震化等、既存建物の改良に関する技術としては種々のものが知られている。特開２００９−１４４４９４号公報には、既存建物における１階の上方を免震建物にする既存建物の免震化工法が記載されている。この公報には、既存建物の既存柱の外側且つ下側で既存建物から少し離れた位置の４箇所に新設杭を打設し、この新設杭の上に新設基礎フーチングを設け、この新設基礎フーチングの上に積層ゴムである建物外免震装置を配置した免震化工法が記載されている。新設基礎フーチングは、その下部に位置する新設基礎躯体によって補強されており、新設基礎躯体は、既存建物の基礎躯体に連結されている。また、建物外免震装置の上には、上部フーチング及び１階梁からなる新設外周フレームが設けられており、この新設外周フレームは、既存建物の既存柱と一体化している。
【０００３】
また、上記公報には、既存柱に形成された貫通孔に大梁補強用の主筋を挿入し、この主筋と上記貫通孔との間の隙間にグラウト材を充填し、既存柱の貫通孔端部の外側位置に上記主筋の定着板を取り付け、この定着板を鉄筋用ナットで定着させる技術が記載されている。このように、グラウト材の充填及び定着板の取付を行った後にコンクリートの打設を行うことによって、主筋が定着された接合構造が構築される。
【０００４】
また、特開平６−５７９５２号公報には、定着板を用いた主筋の定着構造が記載されている。この公報には、円板状の定着板部と六角柱状のねじ部とを一体的に備えた主筋中間固定用ねじ定着板が記載されており、定着板部とねじ部には、軸方向に貫通する主筋取付用のねじ孔が形成されている。また、この公報では、主筋としてねじ鉄筋が用いられている。このねじ鉄筋が上記ねじ孔に挿通され、ねじ鉄筋とねじ孔との間に高強度無収縮モルタルが注入されることにより、ねじ鉄筋が定着される。
【０００５】
更に、鉄筋に定着板を取り付ける工法としては、鋳鉄製リングを鉄筋の先端に取り付けて当該鉄筋を加熱及び加圧することによってこぶを形成する工法、及び異形鉄筋の端部に定着板を摩擦圧接機によって直接接合する工法も知られている。
【先行技術文献】
【特許文献】
【０００６】
【特許文献１】特開２００９−１４４４９４号公報
【特許文献２】特開平６−５７９５２号公報
【発明の概要】
【発明が解決しようとする課題】
【０００７】
ところで、上記の主筋中間固定用ねじ定着板は、鉄筋としてねじ鉄筋しか用いることができない。よって、上述したような既存建物の改良において、既存建物の既存鉄筋に主筋中間固定用ねじ定着板を取り付けるのは困難である。また、鋳鉄製リングを鉄筋の先端に取り付ける工法、及び摩擦圧接機で異形鉄筋の端部に定着板を接合する工法は、事前に工場等で行わなければならない。よって、これらの工法を既存建物の改良に適用させることは困難である。
【０００８】
本発明は、既存建物の既存鉄筋に定着板を容易に取り付けることを可能とする接合構造及び接合方法を提供することを目的とする。
【課題を解決するための手段】
【０００９】
本発明の接合構造は、既存建物を構成する上部構造物と、上部構造物よりも下方に位置する下部構造物と、を接合させる接合構造において、上部構造物と下部構造物との間には空間が形成されており、予め既存建物に埋設されており上部構造物及び下部構造物の少なくともいずれかから空間に伸びる既存鉄筋と、既存鉄筋が挿入される挿入穴を有する定着板と、既存鉄筋、及び既存鉄筋に固定された定着板を埋設する基礎部と、を備えたことを特徴とする。
【００１０】
本発明の接合構造では、上部構造物及び下部構造物の少なくともいずれかから上記空間に伸びる既存鉄筋と、既存鉄筋が挿入される挿入穴を有する定着板とが設けられている。よって、定着板の挿入穴に既存鉄筋を挿入させた状態で溶接等によって定着板を既存鉄筋に固定させることが可能となる。従って、定着板を既存鉄筋に容易に取り付けることができる。また、このような既存鉄筋に対する定着板の固定は、事前に工場等で行う必要がなく、現場で簡単に行うことができる。従って、既存建物の既存鉄筋に定着板を容易に取り付けることができる。
【００１１】
また、挿入穴は、定着板の厚さ方向に貫通しており、厚さ方向に平行な平面で定着板を切断した場合における挿入穴の断面は、厚さ方向における一方側から他方側に向かうに従って広がる形状となっていてもよい。この場合、挿入穴の厚さ方向における他方側が上方を向くように定着板の向きを定めた状態で既存鉄筋を挿入穴に挿入させることにより、上方側に広がる溶接棒の挿入領域を形成することができる。このように、上方側に広がる溶接棒の挿入領域を形成することにより、溶接棒を上から簡単に挿入領域に挿入させることができる。従って、既存鉄筋に対する定着板の固定を容易に且つ一層確実に行うことができる。
【００１２】
また、挿入穴は、定着板の厚さ方向に貫通しており、厚さ方向に平行な平面で定着板を切断した場合における挿入穴の断面は、台形状となっていてもよい。この場合、台形状となっている挿入穴の断面において、挿入穴の長い方の底辺が上方を向くように定着板の向きを定めた状態で既存鉄筋を挿入穴に挿入させることにより、挿入穴の上方側に広がる溶接棒の挿入領域を形成することができる。よって、溶接棒の挿入を簡単に行うことができるので、既存鉄筋に対する定着板の固定を容易に且つ一層確実に行うことができる。
【００１３】
また、基礎部に固定される免震装置を備えていてもよい。この場合、既存建物の既存鉄筋を用いた免震装置の設置が可能となるので、既存建物の免震化において既存鉄筋を有効活用することができる。
【００１４】
また、免震装置を基礎部に固定させるアンカーを備え、アンカーは、基礎部内におけるアンカーのコーン破壊面が既存鉄筋に固定された定着板のコーン破壊面と交差する位置に設けられてもよい。このようにアンカーのコーン破壊面が定着板のコーン破壊面と交差する場合、アンカーの引張力に対する抵抗力を定着板で生じさせることができる。従って、地震等によってアンカーが基礎部から抜ける事態をより確実に回避することができ、より強固な免震構造を構築することができる。
【００１５】
本発明の接合方法は、既存建物を構成する上部構造物と、上部構造物よりも下方に位置する下部構造物と、を接合させる接合方法において、上部構造物と下部構造物との間に空間を形成し、上部構造物及び下部構造物の少なくともいずれかから、予め既存建物に埋設されている既存鉄筋を上記空間に露出させる工程と、既存鉄筋を定着板の挿入穴に挿入させた状態で定着板を既存鉄筋に固定させる工程と、既存鉄筋、及び既存鉄筋に固定された定着板を埋設する基礎部を形成する工程と、を備えたことを特徴とする。
【００１６】
本発明の接合方法では、既存鉄筋を挿入させる挿入穴を定着板が備えている。よって、定着板の挿入穴に既存鉄筋を挿入させた状態で溶接等によって定着板を既存鉄筋に固定させることが可能となる。従って、既存鉄筋の種類に関係なく、簡単に既存鉄筋に定着板を取り付けることができる。また、本発明の接合方法では、予め工場等で定着板の固定を行う必要はなく、既存鉄筋に対する定着板の固定を現場で簡単に行うことができる。よって、既存建物の既存鉄筋に定着板を容易に取り付けることができる。
【発明の効果】
【００１７】
本発明によれば、既存建物の主筋に定着板を容易に取り付けることを可能とする接合構造及び接合方法を提供することができる。
【図面の簡単な説明】
【００１８】
【図１】本発明に係る接合構造の一実施形態を示す断面図である。
【図２】（ａ）は上側の鉄筋と上側の定着板を示す断面図である。（ｂ）は下側の鉄筋と下側の定着板を示す平面図である。（ｃ）は下側の鉄筋と下側の定着板を示す断面図である。
【図３】（ａ）は鉄筋とアンカーとの位置関係を説明する側面図である。（ｂ）は鉄筋とアンカーとの位置関係を説明する平面図である。
【図４】本発明に係る接合方法の一実施形態を示す工程図である。
【図５】変形例に係る接合構造を示す図である。
【図６】（ａ）及び（ｂ）は変形例に係る定着板と鉄筋とを示す断面図である。
【発明を実施するための形態】
【００１９】
以下、図面を参照しつつ、本発明に係る接合構造及び接合方法の実施形態について詳細に説明する。以下の説明において、同一又は相当の要素には同一の符号を付し、重複する説明を省略する。
【００２０】
図１に示されるように、本実施形態に係る接合構造１は、既存建物Ｓ１の柱４を分断し、この分断した箇所に免震装置１０を設置することによって中間階免震が施された構造である。このように免震装置１０を設置することによって既存建物Ｓ１の地震による倒壊が防止される。接合構造１は、免震装置１０によって、大梁（上部構造物）２と大梁（下部構造物）３とが接合された構造となっている。大梁２及び大梁３は、既存建物Ｓ１を構成している。大梁２は、分断された上側の柱４に接続されており、大梁３は、分断された下側の柱４に接続されている。
【００２１】
柱４には、免震装置１０よりも上方に位置して垂直方向に伸びる複数の鉄筋４Ａと、各鉄筋４Ａを水平方向に接続する鉄筋４Ｂと、免震装置１０よりも下方に位置して垂直方向に伸びる複数の鉄筋４Ｃと、各鉄筋４Ｃを水平方向に接続する鉄筋４Ｄとが埋設されている。これらの鉄筋４Ａ，４Ｂ，４Ｃ，４Ｄのうち、鉄筋４Ａ，４Ｃは柱４の主筋であり、鉄筋４Ｂ，４Ｄは柱４の帯筋である。鉄筋４Ａ，４Ｂ，４Ｃ，４Ｄは、免震装置１０が設置される前から既に既存建物Ｓ１に埋設されていた既存鉄筋である。鉄筋４Ｂと鉄筋４Ｄとは、それぞれ鉄筋４Ａと鉄筋４Ｃとを拘束するように配置されている。免震装置１０の上方に位置する鉄筋４Ａと、免震装置１０の下方に位置する鉄筋４Ｃとは、柱４が分断される前には一体となっていたものであり、柱４の分断によって別体となったものである。
【００２２】
上側の大梁２と免震装置１０との間にはコンクリートの基礎部５が設けられており、下側の大梁３と免震装置１０との間にはコンクリートの基礎部６が設けられている。上側の基礎部５は大梁２の下面から下方に突出し、下側の基礎部６は大梁３の上面から上方に突出している。上側の基礎部５には、垂直方向に伸びると共に下側から大梁２に挿入される複数の鉄筋５Ａと、各鉄筋５Ａを水平方向に接続する鉄筋５Ｂとが埋設されている。下側の基礎部６には、垂直方向に伸びると共に上側から大梁３に挿入される複数の鉄筋６Ａと、各鉄筋６Ａを水平方向に接続する鉄筋６Ｂとが埋設されている。鉄筋５Ｂと鉄筋６Ｂとは、それぞれ鉄筋５Ａと鉄筋６Ａとを拘束するように配置されている。
【００２３】
免震装置１０は、円柱状の積層ゴム１１と、積層ゴム１１の上下で積層ゴム１１を上下から挟み込むように設けられる取付プレート１２とを備えている。積層ゴム１１は、例えば加硫接着によりゴムと鋼板とが交互に積層された構造となっている。積層ゴム１１及び取付プレート１２は、例えば、平面視において円形となっており、互いに同心円状に設けられ、取付プレート１２の径が積層ゴム１１の径よりも大きくなっている。取付プレート１２には、上下に貫通するアンカーボルト挿入用の貫通孔１２Ａが設けられており、複数の貫通孔１２Ａが取付プレート１２の周方向に沿って配置されている。
【００２４】
免震装置１０は、上側の基礎部５と下側の基礎部６との間に設置されており、免震装置１０の上下に位置する取付プレート１２は、それぞれアンカー１５によって基礎部５，６に固定されている。アンカー１５は、取付プレート１２の貫通孔１２Ａから基礎部５，６の内部にまでに挿入されるアンカーボルト１６と、基礎部５，６内に埋設されており基礎部５，６内でアンカーボルト１６を螺合させる高ナット１７と、高ナット１７の先端部に取り付けられた定着板１８とを備えている。アンカー１５において、高ナット１７と定着板１８とは、予め基礎部５，６に埋め込まれており、アンカーボルト１６は、積層ゴム１１の設置後に挿入されて（ネジ込まれて）固定される。
【００２５】
上側の基礎部５には、柱４の鉄筋４Ａが埋設されており、下側の基礎部６には柱４の鉄筋４Ｃが埋設されている。ここで、垂直方向に伸びる上側の鉄筋４Ａの下端部にはそれぞれ定着板２１が溶接によって固定されており、垂直方向に伸びる下側の鉄筋４Ｃの上端部にはそれぞれ定着板２２が溶接によって固定されている。
【００２６】
図２（ａ）は、鉄筋４Ａと定着板２１とを定着板２１の厚さ方向（紙面の上下方向）に平行な平面で切断したときの断面図である。定着板２１は円形板状となっている。円形板状の定着板２１は、頂点を有しない形状となっているので、傷つきにくく定着板２１の使用者にとって扱いやすいものとすることができる。定着板２１の中央には、定着板２１の厚さ方向に貫通する平面視円形の挿入穴２１Ａが形成されている。挿入穴２１Ａは、定着板２１の厚さ方向における一方側から他方側に向かうに従って広がる形状となっており、定着板２１の厚さ方向に平行な平面で定着板２１を切断した場合における挿入穴２１Ａの断面形状は台形状となっている。
【００２７】
この台形状の挿入穴２１Ａにおける上底部２１ａの径は、挿入穴２１Ａに挿入される鉄筋４Ａの径と同程度又は鉄筋４Ａの径よりも若干大きい程度となっている。この挿入穴２１Ａの下底部２１ｂが上方を向くように定着板２１の向きを定めた状態で鉄筋４Ａを上から挿入穴２１Ａに挿入させることにより、図２（ａ）に示されるような上方側に広がる溶接棒の挿入領域Ａ１が形成される。このように挿入領域Ａ１が形成された状態で溶接棒を上から挿入領域Ａ１に挿入し、挿入領域Ａ１の下端から徐々に溶接棒を上方に移動させながら溶加材Ｍを注入していくことによって、鉄筋４Ａに対する定着板２１の溶接が行われる。
【００２８】
図２（ｂ）及び図２（ｃ）に示されるように、定着板２２は、円形板状となっており、挿入穴２１Ａと同様、上底部２２ａ及び下底部２２ｂを備えた挿入穴２２Ａが形成されている。挿入穴２２Ａの下底部２２ｂが上方を向くように定着板２２の向きを定めた状態で鉄筋４Ｃを下から挿入穴２２Ａに挿入させることにより、上方側に広がる溶接棒の挿入領域Ａ２が形成される。そして、定着板２１と同様、上から挿入領域Ａ２に溶接棒を挿入し、挿入領域Ａ２の下端から徐々に溶接棒を上方に移動させながら溶加材Ｍを注入していくことによって、鉄筋４Ｃに対する定着板２２の溶接が行われる。
【００２９】
次に、鉄筋４Ａとアンカー１５との位置関係について図３（ａ）及び図３（ｂ）を参照しながら説明する。図３（ａ）は大梁２から下方に伸びる鉄筋４Ａとアンカー１５との位置関係を模式的に示す側面図であり、図３（ｂ）は鉄筋４Ａとアンカー１５との位置関係を模式的に示す平面図である。まず、図３（ｂ）の平面図に示されるように、アンカー１５は、柱４の四隅に位置する鉄筋４Ａの近傍に位置している。具体的には、アンカー１５は、柱４の四隅に位置する鉄筋４Ａと、その隣に位置する２本の鉄筋４Ａとによって形成される直角三角形上、又はその直角三角形の内部に位置している。また、図３（ａ）の側面図に示されるように、高ナット１７の先端部に取り付けられた定着板１８のコーン破壊面Ｃ１、すなわち基礎部５内におけるアンカー１５のコーン破壊面Ｃ１は、鉄筋４Ａの下端部に固定された定着板２１のコーン破壊面Ｃ２と交差している。
【００３０】
ここで、アンカー１５のコーン破壊面Ｃ１は、アンカー１５の先端部を頂部として円錐状に広がる形状となっている。定着板２１のコーン破壊面Ｃ２は、定着板２１を頂部として円錐状に広がる形状となっている。また、鉛直方向に対する各コーン破壊面Ｃ１，Ｃ２の角度（各コーン破壊面Ｃ１，Ｃ２の半頂角）は４５°となっており、これらのコーン破壊面Ｃ１，Ｃ２は予め理論的に算出することが可能である。なお、下側の定着板２２とアンカー１５との位置関係も同様となっている。
【００３１】
次に、上述した接合構造１を構築するための接合方法について、図４を参照しながら説明する。この接合構造１の構築では、免震装置１０が新たに設置される中間階免震が行われ、いわゆる免震レトロフィットが実行される。まず、図４（ａ）に示されるように、既存建物Ｓ１の柱４を上下に分断し、上側の鉄筋４Ａを大梁２から下方に露出させると共に、下側の鉄筋４Ｃを大梁３から上方に露出させる（既存の鉄筋４Ａ，４Ｃを空間Ｋ１に露出させる工程）。この柱４の分断は、ワイヤソー又はウォールソーによって行う。また、柱４の分断に伴って大梁２と大梁３との間に空間Ｋ１を形成する。このとき、大梁３の上部に２台のジャッキＪを大梁３に沿って並ぶように配置して、これらのジャッキＪで大梁２を大梁３の上方で支持することにより、空間Ｋ１を形成する。
【００３２】
そして、図４（ｂ）に示されるように、大梁２から下方に伸びる鉄筋４Ａの下端部に定着板２１を溶接で固定させると共に、大梁３から上方に伸びる鉄筋４Ｃの上端部に定着板２２を溶接で固定させる（定着板２１，２２を既存の鉄筋４Ａ，４Ｃに固定させる工程）。具体的には、鉄筋４Ａの下端部を上から定着板２１の挿入穴２１Ａの下底部２１ｂに挿入し、この状態で溶接棒を挿入領域Ａ１に挿入し溶加材Ｍを挿入領域Ａ１に流し込むことによって、鉄筋４Ａに対する定着板２１の溶接を行う。そして、鉄筋４Ｃの上端部を下から定着板２２の挿入穴２２Ａの上底部２２ａに挿入し、この状態で溶接棒を挿入領域Ａ２に挿入し溶加材Ｍを挿入領域Ａ２に流し込むことによって、鉄筋４Ｃに対する定着板２２の溶接を行う。
【００３３】
そして、図４（ｃ）に示されるように、コンクリートを打設して、鉄筋４Ｃ及び定着板２２と、鉄筋６Ａ，６Ｂとを埋設させた基礎部６を大梁３の上部に形成する（基礎部を形成する工程）。その後は、アンカーボルト１６の据え付け及び圧入を行ってアンカー１５によって免震装置１０を基礎部６の上面に設置する。そして、図４（ｄ）に示されるように、コンクリートを打設して、鉄筋４Ａ及び定着板２１と鉄筋５Ａ，５Ｂとを埋設させた上側の基礎部５を大梁２の下部に形成する。最後に、２台のジャッキＪを空間Ｋ１から外すことにより、免震装置１０を備えた接合構造１が完成する。
【００３４】
以上、本実施形態に係る接合構造１及びその接合方法では、大梁２から空間Ｋ１に伸びる既存の鉄筋４Ａと、大梁３から空間Ｋ１に伸びる既存の鉄筋４Ｃと、鉄筋４Ａが挿入される挿入穴２１Ａを有する定着板２１と、鉄筋４Ｃが挿入される挿入穴２２Ａを有する定着板２２とが設けられている。そして、定着板２１，２２におけるそれぞれの挿入穴２１Ａ，２２Ａに鉄筋４Ａ，４Ｃを挿入させた状態で溶接等を行うことにより、鉄筋４Ａ，４Ｃそれぞれに定着板２１，２２を固定させることが可能となる。
【００３５】
従って、既存の鉄筋４Ａ，４Ｃの種類に関係なく定着板２１，２２を鉄筋４Ａ，４Ｃに固定させることが可能となるので、定着板２１，２２を鉄筋４Ａ，４Ｃに容易に取り付けることができる。また、このような鉄筋４Ａ，４Ｃに対する定着板２１，２２の固定は、事前に工場等で行う必要がなく、現場で簡単に行うことができる。よって、既存建物Ｓ１における既存の鉄筋４Ａ，４Ｃに定着板２１，２２を容易に取り付けることができる。
【００３６】
また、図２（ａ）に示されるように、定着板２１の挿入穴２１Ａは、定着板２１の厚さ方向に貫通しており、厚さ方向に平行な平面で定着板２１を切断した場合における挿入穴２１Ａの断面は、厚さ方向における一方側から他方側に向かうに従って広がる形状、すなわち台形状となっている。よって、挿入穴２１Ａの厚さ方向における他方側（挿入穴２１Ａの長い方の底辺）が上方を向くように定着板２１の向きを定めた状態で既存の鉄筋４Ａを上から挿入穴２１Ａに挿入させることにより、上方側に広がる溶接棒の挿入領域Ａ１を形成することができる。このように、上方側に広がる溶接棒の挿入領域Ａ１を形成することにより、溶接棒を上から簡単に挿入領域Ａ１に挿入させることができる。従って、既存の鉄筋４Ａに対する定着板２１の固定を容易に且つ一層確実に行うことができる。また、既存の鉄筋４Ｃと定着板２２とについても同様である。
【００３７】
また、図１に示されるように、既存の鉄筋４Ａ及び定着板２１を埋設すると共に大梁２から空間Ｋ１に突出する基礎部５と、既存の鉄筋４Ｃ及び定着板２２を埋設すると共に大梁３から空間Ｋ１に突出する基礎部６と、基礎部５，６に固定される免震装置１０とを備えている。このように、既存建物Ｓ１における既存の鉄筋４Ａ，４Ｃを用いた免震装置１０の設置が可能となるので、既存建物Ｓ１の免震化において既存の鉄筋４Ａ，４Ｃを有効活用することができる。
【００３８】
また、図３（ａ）及び図３（ｂ）に示されるように、免震装置１０を基礎部５に固定させるアンカー１５を備え、アンカー１５は、基礎部５内におけるアンカー１５のコーン破壊面Ｃ１が既存の鉄筋４Ａに固定された定着板２１のコーン破壊面Ｃ２と交差する位置に設けられている。このようにアンカー１５のコーン破壊面Ｃ１が定着板２１のコーン破壊面Ｃ２と交差する場合には、アンカー１５の引張力に対する抵抗力を定着板２１で生じさせることができる。従って、地震等によってアンカー１５が基礎部５から抜ける事態をより確実に回避することができ、より強固な免震構造を構築することができる。下側の定着板２２とアンカー１５についても同様である。
【００３９】
更に、図１に示されるように、定着板２１，２２を基礎部５，６内の鉄筋４Ａ，４Ｃに固定させることによって、地震等でアンカー１５が引っ張られたときに定着板２１，２２による支圧が発生する。よって、空間Ｋ１の高さ又は露出させる鉄筋４Ａ，４Ｃの高さが低い場合であっても、免震装置１０の変形時にアンカー１５が引っ張られる力を確実に基礎部５，６及び鉄筋４Ａ，４Ｃに伝達させることができる。
【００４０】
また、定着板２１，２２が鉄筋４Ａ，４Ｃの先端部に固定され、定着板２１，２２のコーン破壊面はアンカー１５における定着板１８のコーン破壊面に重なるように対向している。よって、アンカー１５が引っ張られる力に対して定着板２１，２２の抵抗力が円錐状に作用する。また、図３（ｂ）に示されるように、アンカー１５は、柱４の四隅に位置する鉄筋４Ａと、その隣に位置する２本の鉄筋４Ａとによって形成される直角三角形上、又はその直角三角形の内部に位置している。従って、３本の鉄筋４Ａによって、アンカー１５の引張力に対する抵抗力を発生させることができる。
【００４１】
本発明は、上述した実施形態に限定されず、本発明の要旨を逸脱しない範囲で、下記のような種々の変形が可能である。
【００４２】
例えば、上記実施形態では、免震装置１０を設置することによって中間階免震が施された構造である接合構造１について説明した。しかし、図５に示されるように、免震装置１０を基礎ピットＰ内に設置することによって基礎免震が施された接合構造３１であってもよい。このように、本発明は、中間階免震だけでなく基礎免震にも適用させることができる。図５に示される接合構造３１は、既存建物Ｓ２の基礎ピットＰ内に免震装置１０が設置されていること以外は、上記実施形態の接合構造１と同様である。このように既存建物Ｓ２の基礎部分で免震化を行う工法は基礎ピット内免震工法と称される。この基礎ピット内免震工法は、基礎ピットＰ内の空間Ｋ２の高さをある程度確保できるときに採用される。
【００４３】
既存建物Ｓ２の基礎ピットＰ内に免震装置１０が設置される接合構造３１では、既存建物Ｓ２の使用者が使用する使用空間Ｋ３よりも下方のみで工事が行われる。よって、工事範囲を少なくすることができると共に、工事に伴って発生する音や振動を使用空間Ｋ３に伝わりにくくすることができる。また、既存建物Ｓ２の基礎ピットＰ内に免震装置１０が設置される接合構造３１では、既存建物Ｓ２の使用者を工事に伴って移動させる必要がなくなる等、使用者の既存建物Ｓ２の使用を妨げずに工事を行うことができる。更に、既存建物Ｓ２の使用空間Ｋ３よりも下方には可燃物が存在する可能性が低いため、接合構造３１の耐火被覆が不要になる等の利点もある。
【００４４】
また、上記実施形態では、厚さ方向に平行な平面で定着板２２を切断したときの挿入穴２２Ａの形状が台形状となっている例について説明した。しかし、この挿入穴の形状は、既存鉄筋を挿入可能であれば適宜変更することが可能である。例えば、図６（ａ）に示されるように、定着板２１又は定着板２２に代えて、厚さ方向に平行な平面で切断したときの挿入穴４２Ａの断面形状が放物線状となっている定着板４２を用いてもよい。また、図６（ｂ）に示されるように、厚さ方向に平行な平面で切断したときの挿入穴５２Ａの断面形状が円弧状となっている定着板５２を用いてもよい。但し、断面形状が台形状となっている上記実施形態の定着板２１，２２の場合は、定着板４２，５２と比較して、溶接量を抑えることができるという利点がある。
【００４５】
上記実施形態では、積層ゴム１１と取付プレート１２とを備えた免震装置１０、及びアンカーボルト１６と高ナット１７と定着板１８とを備えたアンカー１５について説明したが、免震装置及びアンカーの構造については適宜変更することが可能である。また、上記実施形態では、円形板状となっている定着板２１，２２について説明したが、定着板の形状は適宜変更することが可能である。例えば、円形板状の定着板２１，２２に代えて、矩形板状の定着板を用いることも可能である。矩形板状の定着板は、無駄なく加工を行うことができ簡単に製造することが可能となっている。
【００４６】
また、上記実施形態では、上側の基礎部５に定着板２１と既存の鉄筋４Ａとが埋設されており、更に下側の基礎部６に定着板２２と既存の鉄筋４Ｃとが埋設されている例について説明した。しかし、この例に限られず、上側の基礎部５及び下側の基礎部６のいずれか一方に定着板と既存の鉄筋とが埋設されていてもよい。
【符号の説明】
【００４７】
１，３１…接合構造、２…大梁（上部構造物）、３…大梁（下部構造物）、４…柱、４Ａ，４Ｃ…鉄筋（既存鉄筋）、５，６…基礎部、１０…免震装置、１５…アンカー、１６…アンカーボルト、１７…高ナット、１８…定着板、２１，２２，４２，５２…定着板、２１Ａ，２２Ａ，４２Ａ，５２Ａ…挿入穴、Ｃ１，Ｃ２…コーン破壊面、Ｋ１，Ｋ２…空間、Ｓ１，Ｓ２…既存建物。
【図１】
2016000942.tif 000003
【図２】
2016000942.tif 000004
【図３】
2016000942.tif 000005
【図４】
2016000942.tif 000006
【図５】
2016000942.tif 000007
【図６】
2016000942.tif 000008